(57)【要約】【課題】画像データの復元に失敗した場合の画像劣化を抑制することができる受信装置を提供する。【解決手段】受信装置１０は、受信部Ｒ１〜Ｒ４および処理部１１を備える。各受信部Ｒｎは、信号線Ｌｎにより送られてきたシリアルデータを受信し、その受信したシリアルデータに基づいて画像データおよびクロックを復元し、その復元に成功した場合に画像データおよびクロックを出力し、その復元に失敗した場合には復元ＮＧ信号を出力する。処理部１１は、復元ＮＧ信号を出力していない受信部Ｒｎ１から出力されたクロックに、該受信部Ｒｎ１から出力された画像データを同期させて表示装置３０へ出力する。処理部１１は、何れかの受信部Ｒｎ０から復元ＮＧ信号が出力されているときに、該受信部Ｒｎ０について、復元ＮＧ信号を出力していない受信部Ｒｎ１から出力されたクロックに基づいて生成されるクロックに同期させて、ダミーの画像データを表示装置３０へ出力する。【選択図】図７
2010263379.tif 000002
【特許請求の範囲】
【請求項１】
Ｎ本の信号線Ｌ１〜ＬＮそれぞれによりシリアルデータとして送られてきた画像データを受信して処理する装置であって、
各信号線Ｌｎに対応して設けられ、信号線Ｌｎにより送られてきたシリアルデータを受信し、その受信したシリアルデータに基づいて画像データおよびクロックを復元し、その復元に成功した場合に前記画像データおよび前記クロックを出力し、その復元に失敗した場合に復元ＮＧ信号を出力する受信部Ｒｎと、
前記受信部Ｒ１〜ＲＮそれぞれから出力された画像データおよびクロックまたは復元ＮＧ信号を入力して処理する処理部と、
を備え、
前記処理部が、
復元ＮＧ信号を出力していない受信部Ｒｎ１から出力されたクロックに、該受信部Ｒｎ１から出力された画像データを同期させて出力し、
何れかの受信部Ｒｎ０から復元ＮＧ信号が出力されているときに、該受信部Ｒｎ０について、復元ＮＧ信号を出力していない受信部Ｒｎ１から出力されたクロックに基づいて生成されるクロックに同期させて、ダミーの画像データを出力する、
ことを特徴とする受信装置（ただし、Ｎは２以上の整数、ｎ，ｎ０，ｎ１は１以上Ｎ以下の整数）。
【請求項２】
前記処理部が、復元ＮＧ信号を出力している受信部Ｒｎ０について、予め用意されたダミーの画像データを出力する、ことを特徴とする請求項１に記載の受信装置。
【請求項３】
前記処理部が、復元ＮＧ信号を出力している受信部Ｒｎ０について、復元ＮＧ信号を出力していない受信部Ｒｎ１から出力された画像データに基づいて生成されるダミーの画像データを出力する、ことを特徴とする請求項１に記載の受信装置。
【請求項４】
前記処理部が、復元ＮＧ信号を出力している受信部Ｒｎ０について、復元ＮＧ信号を出力していない受信部Ｒｎ１から出力された画像データのうち隣接する２以上の画素の画像データに基づいて補間により生成されるダミーの画像データを出力する、ことを特徴とする請求項３に記載の受信装置。
【発明の詳細な説明】
【技術分野】
【０００１】
本発明は、信号線によりシリアルデータとして送られてきた画像データを受信して処理する受信装置に関するものである。
【背景技術】
【０００２】
特許文献１に記載されている受信装置は、送信装置から物理リンク上に設けられたＮ本（Ｎは２以上の整数）の仮想パイプそれぞれによりパケットデータとして送られてきた画像データを受信して処理する装置であって、各仮想パイプにより送られてきたパケットデータを受信し、その受信したパケットデータに基づいて画像データを復元し、その復元により得られた画像データを例えば液晶表示装置へ出力する。
【０００３】
このような受信装置は、Ｎ本の仮想パイプにより送られてきたパケットデータに基づいて画像データを復元することに失敗した場合には、正常に復元をすることができるよう物理リンクについてトレーニングを行う。
【０００４】
このトレーニングでは、復元に失敗した受信装置が制御線を介して送信装置へトレーニング開始要求を送信し、このトレーニング開始要求を受けた送信装置が物理リンクを介して受信装置へ所定のテストパターンを送信し、この所定のテストパターンを受信装置が受信し、エラーレートが測定され、このエラーレートに基づいて伝送レートが設定される。
【０００５】
そして、トレーニングが終了すると、受信装置は、再び、送信装置からＮ本の仮想パイプそれぞれにより送られてきたパケットデータに基づいて画像データを復元し、その復元により得られた画像データを例えば液晶表示装置へ出力する。
【先行技術文献】
【特許文献】
【０００６】
【特許文献１】特開２００４−３３６７４５号公報
【発明の概要】
【発明が解決しようとする課題】
【０００７】
復元に失敗した後に上記のトレーニングを行っている期間は、受信装置は本来の画像データを取得することができず、表示装置は本来の画像を表示することができない。したがって、表示装置に表示される画像が乱れる等の表示画像の劣化が生じる。
【０００８】
本発明は、上記問題点を解消する為になされたものであり、画像データの復元に失敗した場合の画像劣化を抑制することができる受信装置を提供することを目的とする。
【課題を解決するための手段】
【０００９】
本発明に係る受信装置は、Ｎ本の信号線Ｌ１〜ＬＮそれぞれによりシリアルデータとして送られてきた画像データを受信して処理する装置であって、(1) 各信号線Ｌｎに対応して設けられ、信号線Ｌｎにより送られてきたシリアルデータを受信し、その受信したシリアルデータに基づいて画像データおよびクロックを復元し、その復元に成功した場合に画像データおよびクロックを出力し、その復元に失敗した場合に復元ＮＧ信号を出力する受信部Ｒｎと、(2) 受信部Ｒ１〜ＲＮそれぞれから出力された画像データおよびクロックまたは復元ＮＧ信号を入力して処理する処理部と、を備えることを特徴とする。さらに、本発明に係る受信装置に含まれる処理部は、(a) 復元ＮＧ信号を出力していない受信部Ｒｎ１から出力されたクロックに、該受信部Ｒｎ１から出力された画像データを同期させて出力し、(b) 何れかの受信部Ｒｎ０から復元ＮＧ信号が出力されているときに、該受信部Ｒｎ０について、復元ＮＧ信号を出力していない受信部Ｒｎ１から出力されたクロックに基づいて生成されるクロックに同期させて、ダミーの画像データを出力することを特徴とする。ただし、Ｎは２以上の整数であり、ｎ，ｎ０，ｎ１は１以上Ｎ以下の整数である。
【００１０】
本発明に係る受信装置では、各受信部Ｒｎにより、各信号線Ｌｎにより送られてきたシリアルデータが受信され、その受信したシリアルデータに基づいて画像データおよびクロックが復元される。その復元に成功した場合に画像データおよびクロックが受信部Ｒｎから出力される。一方、その復元に失敗した場合に復元ＮＧ信号が受信部Ｒｎから出力される。処理部では、各受信部Ｒｎから出力された画像データおよびクロックまたは復元ＮＧ信号が入力されて処理される。処理部では、復元ＮＧ信号を出力していない受信部Ｒｎ１から出力されたクロックに、該受信部Ｒｎ１から出力された画像データが同期されて出力される。また、処理部では、何れかの受信部Ｒｎ０から復元ＮＧ信号が出力されているときに、該受信部Ｒｎ０について、復元ＮＧ信号を出力していない受信部Ｒｎ１から出力されたクロックに基づいて生成されるクロックに同期されて、ダミーの画像データが出力される。
【００１１】
本発明に係る受信装置では、処理部は、復元ＮＧ信号を出力している受信部Ｒｎ０について、予め用意されたダミーの画像データを出力するのが好適である。処理部は、復元ＮＧ信号を出力している受信部Ｒｎ０について、復元ＮＧ信号を出力していない受信部Ｒｎ１から出力された画像データに基づいて生成されるダミーの画像データを出力するのも好適である。また、処理部は、復元ＮＧ信号を出力している受信部Ｒｎ０について、復元ＮＧ信号を出力していない受信部Ｒｎ１から出力された画像データのうち隣接する２以上の画素の画像データに基づいて補間により生成されるダミーの画像データを出力するのが好適である。
【発明の効果】
【００１２】
本発明に係る受信装置は、画像データの復元に失敗した場合の画像劣化を抑制することができる。
【図面の簡単な説明】
【００１３】
【図１】本実施形態に係る受信装置１０および送信装置２０を含む通信システム１の概略構成を示す図である。
【図２】送信装置２０から受信装置１０へ送られる画像のマッピングの一例を示す図である。
【図３】送信装置２０から受信装置１０へ送られる画像データの順序を説明する図である。
【図４】表示装置により表示される画像の第１の例を示す図である。
【図５】表示装置により表示される画像の第２の例を示す図である。
【図６】従来技術において受信装置により画像データの復元に失敗した場合に表示装置により表示される画像の例を示す図である。
【図７】本実施形態に係る受信装置１０の構成を示すブロック図である。
【図８】受信装置１０の画像データ処理部１４において処理された画像データに基づいて表示装置３０により表示される画像の例を示す図である。
【図９】受信装置１０の画像データ処理部１４において処理された画像データに基づいて表示装置３０により表示される画像の例を示す図である。
【図１０】受信装置１０の画像データ処理部１４において処理された画像データに基づいて表示装置３０により表示される画像の例を示す図である。
【図１１】受信装置１０の画像データ処理部１４において処理された画像データに基づいて表示装置３０により表示される画像の例を示す図である。
【図１２】送信装置２０から受信装置１０へ送られる画像のマッピングの他の例を示す図である。
【発明を実施するための形態】
【００１４】
以下、添付図面を参照して、本発明を実施するための形態を詳細に説明する。なお、図面の説明において同一の要素には同一の符号を付し、重複する説明を省略する。
【００１５】
図１は、本実施形態に係る受信装置１０および送信装置２０を含む通信システム１の概略構成を示す図である。本実施形態に係る受信装置１０は、Ｎ本の信号線Ｌ１〜ＬＮおよび制御線Ｌｃにより送信装置２０と接続されている。受信装置１０は、送信装置２０からＮ本の信号線Ｌ１〜ＬＮそれぞれにより送られてきたシリアルデータを受信し、このシリアルデータに基づいて画像データおよびクロックを復元して、その復元により得られた画像データを表示装置３０へ出力する。また、受信装置１０は、送信装置２０との間で制御線Ｌｃにより制御信号を送受信する。ここで、Ｎは２以上の整数である。
【００１６】
各信号線Ｌｎはシリアルデータを一般に単方向に高速伝送する。各信号線Ｌｎは、物理的に１本の線であってもよいし、小振幅差動信号方式（ＬＶＤＳ: Low-Voltage Differential Signaling）のように差動データを伝送する１対の線であってもよい。ここで、ｎは１以上Ｎ以下の各整数である。一方、制御線Ｌｃは制御信号を一般に低速伝送する。制御線Ｌｃは、１本でも複数本でもよいし、双方向でも単方向でもよい。
【００１７】
以下の説明では、説明の簡便化の為に、Ｎ値が４であるとし、送信装置２０から受信装置１０へ送られる画像の１フレームが８×８画素であるとする。図２〜図６，図８〜図１２それぞれにおいて、各四角は画素を表しており、各四角の中に記されている数字は、該画素の画像データを送信する信号線Ｌｎのｎ値を表す。また、１フレームの８×８画素のうち第ｉ行第ｊ列に位置する画素の画像データをＧｉ,ｊと表す。ｉ，ｊそれぞれは１以上８以下の整数である。
【００１８】
図２は、送信装置２０から受信装置１０へ送られる画像のマッピングの一例を示す図である。各行の第１列および第５列の画素の画像データＧｉ,１，Ｇｉ,５は信号線Ｌ１により送られる。各行の第２列および第６列の画素の画像データＧｉ,２，Ｇｉ,６は信号線Ｌ２により送られる。各行の第３列および第７列の画素の画像データＧｉ,３，Ｇｉ,７は信号線Ｌ３により送られる。また、各行の第４列および第８列の画素の画像データＧｉ,４，Ｇｉ,８は信号線Ｌ４により送られる。
【００１９】
図３は、送信装置２０から受信装置１０へ送られる画像データの順序を説明する図である。各行の第１列〜第４列の４つの画素の画像データＧｉ,１〜Ｇｉ,４または各行の第５列〜第８列の４つの画素の画像データＧｉ,５〜Ｇｉ,８が１組とされて、各組の画像データが図中の矢印に示される順序で送られる。先ず第１行の第１列〜第４列の４つの画素の画像データＧ１,１〜Ｇ１,４が信号線Ｌ１〜Ｌ４により略同時に送られる。次に第１行の第５列〜第８列の４つの画素の画像データＧ１,５〜Ｇ１,８が信号線Ｌ１〜Ｌ４により略同時に送られる。更に次に第２行の第１列〜第４列の４つの画素の画像データＧ２,１〜Ｇ２,４が信号線Ｌ１〜Ｌ４により略同時に送られる。以降も同様である。
【００２０】
図４および図５それぞれは、表示装置により表示される画像の例を示す図である。図４は、文字をマッピングした場合の画像の表示例を示す。図５は、自然画等のグラディエーションのある画像の表示例を示す。受信装置１０は、送信装置２０から４本の信号線Ｌ１〜Ｌ４それぞれにより送られてきたシリアルデータに基づいて画像データおよびクロックを復元し、その復元により得られたクロックに同期させて画像データを表示装置へ出力する。図４および図５は、全ての信号線により送られてきたシリアルデータに基づく復元が受信装置１０において成功した場合の表示装置における表示例を示している。
【００２１】
仮にノイズ等の何等かの理由により４本の信号線Ｌ１〜Ｌ４のうち何れかの信号線により送られてきたシリアルデータに基づく復元が受信装置１０において失敗した場合、その信号線について正常に復元をすることができるようトレーニングを行う必要がある。復元に失敗した後にトレーニングを行っている期間は、受信装置１０は本来の画像データを取得することができず、表示装置は本来の画像を表示することができない。
【００２２】
従来技術では、４本の信号線Ｌ１〜Ｌ４の全てについてトレーニングが行われるので、受信装置は４本の信号線Ｌ１〜Ｌ４の何れからも本来の画像データを取得することができない。したがって、復元に失敗した後にトレーニングを行っている期間に表示装置に表示される画像は、図６に示されるような全体が黒色，白色または灰色等である画像であって、本来の画像と全く異なるものである。したがって、表示装置に表示される画像は、点滅したりチラついたりして、劣化したものとなる。
【００２３】
また、受信装置が４本の信号線Ｌ１〜Ｌ４の全てについて画像データの受信を停止すると、送信装置から出力されるクロックを受信装置で復元して出力することができない。受信装置は、トレーニングが終了して画像データの復元が可能になった後にクロックをも復元するので、トレーニング終了後の暫くの期間も画像データを正常に出力することができない。したがって、表示装置に表示される画像の劣化は著しくなる。
【００２４】
そこで、本実施形態に係る受信装置１０は、以上のような問題点を解消するため、図７に示される構成を有する。図７は、本実施形態に係る受信装置１０の構成を示すブロック図である。受信装置１０は、受信部Ｒ１〜Ｒ４および処理部１１を備える。
【００２５】
各受信部Ｒｎは、信号線Ｌｎに対応して設けられ、信号線Ｌｎにより送られてきたシリアルデータを受信する。各受信部Ｒｎは、その受信したシリアルデータに基づいて画像データおよびクロックを復元し、その復元に成功した場合に画像データおよびクロックを出力する。一方、各受信部Ｒｎは、その復元に失敗した場合には復元ＮＧ信号を出力する。各受信部Ｒｎは、復元部１２およびトレーニング部１３を含む。
【００２６】
各受信部Ｒｎに含まれる復元部１２は、信号線Ｌｎにより送られてきたシリアルデータを受信し、その受信したシリアルデータに基づいて画像データおよびクロックを復元して、その復元に成功した場合に画像データおよびクロックを処理部１１へ出力する。また、復元部１２は、復元に失敗した場合に、復元ＮＧ信号を処理部１１へ出力するとともに、トレーニング開始を指示するトレーニング開始信号をトレーニング部１３へ出力する。
【００２７】
トレーニング部１３は、復元部１２からトレーニング開始信号を受け取ると、制御線Ｌｃを介して送信装置２０へトレーニング開始要求を送信して、送信装置２０から送られてくるトレーニングの為の所定のシリアルデータに基づいて復元を行うことができるようにする。このトレーニングは、復元に失敗した信号線についてのみ行われる。
【００２８】
処理部１１は、受信部Ｒ１〜Ｒ４それぞれから出力された画像データおよびクロックまたは復元ＮＧ信号を入力して処理する。具体的には、処理部１１は、復元ＮＧ信号を出力していない受信部Ｒｎ１から出力されたクロックに、該受信部Ｒｎ１から出力された画像データを同期させて表示装置３０へ出力する。また、処理部１１は、何れかの受信部Ｒｎ０から復元ＮＧ信号が出力されているときに、該受信部Ｒｎ０について、復元ＮＧ信号を出力していない受信部Ｒｎ１から出力されたクロックに基づいて生成されるクロックに同期させて、ダミーの画像データを表示装置３０へ出力する。処理部１１は、画像データ処理部１４およびクロック処理部１５を含む。
【００２９】
画像データ処理部１４は、復元ＮＧ信号を出力していない受信部から出力された画像データをそのまま出力する。一方、画像データ処理部１４は、復元ＮＧ信号が出力されている受信部については、ダミーの画像データを出力する。クロック処理部１５は、復元ＮＧ信号を出力していない受信部から出力されたクロックをそのまま出力する。一方、クロック処理部１５は、復元ＮＧ信号が出力されている受信部については、復元ＮＧ信号を出力していない受信部から出力されたクロックに基づいて生成されるクロックを出力する。
【００３０】
受信装置１０は、クロック処理部１５から出力されるクロックに同期させて、画像データ処理部１４から出力される画像データを表示装置３０へ出力する。
【００３１】
次に、画像データ処理部１４における処理内容について更に詳細に説明する。以下では、４本の信号線Ｌ１〜Ｌ４のうち第２の信号線Ｌ２により送られてきたシリアルデータに基づく復元が受信装置１０の受信部Ｒ２において失敗した場合における画像データ処理部１４の処理の内容について説明する。図８〜図１１は、受信装置１０の画像データ処理部１４において処理された画像データに基づいて表示装置３０により表示される画像の例を示す図である。
【００３２】
図８に示される画像の例は、図４に示される本来の画像に対して受信部Ｒ２において復元に失敗した場合に、復元に成功した第１列，第３列，第４列，第５列，第７列および第８列それぞれの各画素の画像データを復元により取得された画像データとし、復元に失敗した第２列の８個の画素の画像データＧ１,２〜Ｇ８,２および第６列の８個の画素の画像データＧ１,６〜Ｇ８,６をダミーの画像データとしたものである。
【００３３】
図９に示される画像の例は、図５に示される本来の画像に対して受信部Ｒ２において復元に失敗した場合に、復元に成功した第１列，第３列，第４列，第５列，第７列および第８列それぞれの各画素の画像データを復元により取得された画像データとし、復元に失敗した第２列の８個の画素の画像データＧ１,２〜Ｇ８,２および第６列の８個の画素の画像データＧ１,６〜Ｇ８,６をダミーの画像データとしたものである。
【００３４】
本実施形態に係る受信装置１０から出力される画像データに基づいて表示装置３０に表示される画像（図８，図９）は本来の画像（図４，図５）と相違するものの、その表示時間は復元可能となる迄の時間だけであり、また、その相違は僅かである。したがって、図６に示されるような画像を表示する従来技術の場合と比較して、本実施形態では画像劣化が大幅に低減されることになる。そして、信号線Ｌ２についてトレーニングが終了して復元可能となると、本来の画像（図４，図５）の画像データが受信装置１０により取得される。
【００３５】
図８および図９それぞれにおける第２列および第６列の各画素のダミーの画像データは、予め用意されたデータであってもよい。ダミーの画像データは、表示装置３０における表示の際にできるだけ目立たないものであるのが好ましく、例えば輝度が低い黒色にしてもよいし、或いは、他の画素に使用されている色として白が多ければその色にしてもよい。
【００３６】
図１０に示される画像の例は、図４に示される本来の画像に対して受信部Ｒ２において復元に失敗した場合に、復元に成功した第１列，第３列，第４列，第５列，第７列および第８列それぞれの各画素の画像データを復元により取得された画像データとし、復元に失敗した第２列の８個の画素の画像データＧ１,２〜Ｇ８,２および第６列の８個の画素の画像データＧ１,６〜Ｇ８,６を、隣接する２以上の画素の画像データに基づいて補間により生成されるダミーの画像データとしたものである。
【００３７】
図１１に示される画像の例は、図５に示される本来の画像に対して受信部Ｒ２において復元に失敗した場合に、復元に成功した第１列，第３列，第４列，第５列，第７列および第８列それぞれの各画素の画像データを復元により取得された画像データとし、復元に失敗した第２列の８個の画素の画像データＧ１,２〜Ｇ８,２および第６列の８個の画素の画像データＧ１,６〜Ｇ８,６を、隣接する２以上の画素の画像データに基づいて補間により生成されるダミーの画像データとしたものである。
【００３８】
ここで、ダミーの画像データＧｉ,２は、左右両隣の２画素の画像データＧｉ,１，Ｇｉ,３に基づいて補間により生成される。また、ダミーの画像データＧｉ,６は、左右両隣の２画素の画像データＧｉ,５，Ｇｉ,７に基づいて補間により生成される。
【００３９】
この場合、本実施形態に係る受信装置１０から出力される画像データに基づいて表示装置３０に表示される画像（図１０，図１１）は、前の例の画像（図８，図９）と比較すると、本来の画像（図４，図５）に近い。特に、図１１に示される自然画の画像は、図５に示された本来の画像と略等しい画像となる。したがって、復元に失敗した後にトレーニングを行っている期間中に図１０，図１１の画像が表示装置３０により表示されたとしても、その表示画像における画像劣化は知覚され得ない程度である。
【００４０】
図１０および図１１それぞれにおける第２列および第６列の各画素のダミーの画像データは、左右両隣の２画素の画像データのみに基づいて補間により生成されてもよいし、左右両隣の２画素だけでなく更に離れた画素の画像データに基づいて補間により生成されてもよいし、左右両隣の２画素だけでなく斜め方向の位置にある画素の画像データに基づいて補間により生成されてもよい。
【００４１】
また、図１２に示されるように各画素と信号線Ｌｎとが対応している場合に、第２の信号線Ｌ２により送られてくるシリアルデータに基づく復元が失敗したときに、ダミーの画像データは、左右の２画素の画像データ，上下の２画素の画像データおよび斜め方向の４画素の画像データの何れが用いられて生成されてもよい。さらに、ダミーの画像データを生成するアルゴリズムは、直線補間だけでなく２次補間でもよく、特に補間方法は限定されない。
【００４２】
本実施形態に係る受信装置１０は、送信装置２０から信号線Ｌｎを経て送られてくるシリアルデータに基づいてクロックを復元し続けることができるので、クロックが表示装置３０へ送られないことに因る画像劣化を回避することができる。したがって、本来の画像と異なる補間画像が表示装置３０により表示されるのは、トレーニングを行っている最低限の時間で済むので、画質の劣化が最小化される。
【００４３】
なお、本実施形態では送信装置２０から受信装置１０へシリアルデータを送信する信号線の本数Ｎを４としたが、本発明では信号線の本数Ｎは２以上の任意の数が可能である。
【符号の説明】
【００４４】
１…通信システム、１０…受信装置、Ｒ１〜Ｒ４…受信部、１１…処理部、１２…復元部、１３…トレーニング部、１４…画像データ処理部、１５…クロック処理部、２０…送信装置、３０…表示装置、Ｌ１〜ＬＮ…信号線、Ｌｃ…制御線。
【図１】
2010263379.tif 000003
【図２】
2010263379.tif 000004
【図３】
2010263379.tif 000005
【図７】
2010263379.tif 000006
【図１２】
2010263379.tif 000007
【図４】
2010263379.tif 000008
【図５】
2010263379.tif 000009
【図６】
2010263379.tif 000010
【図８】
2010263379.tif 000011
【図９】
2010263379.tif 000012
【図１０】
2010263379.tif 000013
【図１１】
2010263379.tif 000014